(57)【要約】【課題】記録ヘッドの小型化及び薄型化と信号線の保護の両立を可能にする。【解決手段】記録データに基づいて記録を行う記録ヘッド２と、前記記録ヘッド２に前記記録データを送る信号線７と、前記記録ヘッド２を搭載するキャリッジ３と、を備え、前記記録ヘッド２は、記録面９に沿う方向であって少なくとも異なる二方向の各部位に前記信号線７ａ、７ｂが接続される接続部１０ａ、１０ｂを備え、前記信号線７ａ、７ｂは、前記異なる二方向から前記記録ヘッド２に接続され、前記キャリッジ３内部を通って前記接続部１０ａ、１０ｂに接続されることを特徴とする。【選択図】図３
2014030981.tif 000002
【特許請求の範囲】
【請求項１】
記録データに基づいて記録を行う記録ヘッドと、
前記記録ヘッドに前記記録データを送る信号線と、
前記記録ヘッドを搭載するキャリッジと、を備え、
前記記録ヘッドは、記録面に沿う方向であって少なくとも異なる二方向の各部位に前記信号線が接続される接続部を備え、
前記信号線は、前記キャリッジ内部を通って前記異なる二方向から前記接続部に接続されることを特徴とする記録装置。
【請求項２】
請求項１に記載の記録装置において、
前記信号線は、
前記接続部の一方の側から前記キャリッジ内部に挿入され、
前記一方の接続部に接続される第１信号線と、該接続部の一方の側から他方の側に向かって前記キャリッジ内部において配設されて該他方の接続部に接続される第２信号線とを有することを特徴とする記録装置。
【請求項３】
請求項１又は２に記載の記録装置において、
前記信号線は、互いに逆方向から前記記録ヘッドに接続されることを特徴とする記録装置。
【請求項４】
請求項１から３のいずれか１項に記載の記録装置において、
前記記録ヘッドは、前記キャリッジに取付けるための取付け部を有し、
前記信号線は、前記キャリッジ内部において前記取付け部と前記キャリッジとの間に配設されることを特徴とする記録装置。
【請求項５】
請求項１から４のいずれか１項に記載の記録装置において、
前記信号線は、前記記録面と平行に接続されていることを特徴とする記録装置。
【請求項６】
請求項１から５のいずれか１項に記載の記録装置において、
該記録装置は、リニアスケールを備え、
前記キャリッジは、
前記リニアスケールの目盛から位置情報を取得する検出器と、
前記信号線を保護する信号線カバーと、を備え、
前記信号線カバーは、
前記検出器の保護部と、
前記リニアスケールの前記検出器からの抜け止め部と、を兼ねることを特徴とする記録装置。
【請求項７】
信号線から送られる記録データに基づいて記録を行う記録ヘッドであって、
該記録ヘッドの記録面に沿う方向であって少なくとも異なる二方向の各部位に前記信号線が接続される接続部を有することを特徴とする記録ヘッド。
【発明の詳細な説明】
【技術分野】
【０００１】
本発明は、記録データに基づいて記録を行う記録装置及び記録ヘッドに関する。
【背景技術】
【０００２】
従来から、記録データに基づいて記録を行う記録装置が使用されている。このうち、記録ヘッドと、記録ヘッドに接続され該記録ヘッドに記録データを送る信号線としてのフレキシブルフラットケーブル（以下、ＦＦＣとも称する）とを備えた記録装置が使用されている。このような記録装置において、ＦＦＣは、柔軟性があり、形状の変形に対する自由度が大きく、折り曲げ加工に対する自由度も大きい。このため、様々な記録装置でＦＦＣが使用されている（例えば、特許文献１参照）。
【０００３】
一方、近年の記録装置の解像度は高く、一度に記録ヘッドに送る記録データの量は多い。このため、幅の広いＦＦＣを用いた記録装置やＦＦＣを複数本用いた記録装置が使用されている。
【先行技術文献】
【特許文献】
【０００４】
【特許文献１】特開２０００−１９８１９１号公報
【発明の概要】
【発明が解決しようとする課題】
【０００５】
しかしながら、幅の広いＦＦＣを用いる場合やＦＦＣを複数本用いる場合、記録ヘッドにおけるＦＦＣを接続する接続部の専有面積が大きくなり、これに伴い記録ヘッドが大きくなり記録装置が大きくなる傾向にあった。特に記録ヘッドの厚さ（記録ヘッドの記録面と交差する方向の記録ヘッドの長さ）が厚くなると、例えば記録ヘッドを往復走査して記録を行う記録装置においては、記録装置は特に大きくなる。このため、記録ヘッドの小型化が求められており、特に記録ヘッドの薄型化が求められている。
【０００６】
また、近年の記録装置においては、ＦＦＣが場所を大きく専有し、ＦＦＣと他の部材とが干渉しＦＦＣ又は他の部材が損傷する場合があった。特に、記録ヘッドを薄型化し、記録装置を小さくすると、ＦＦＣと他の部材との干渉の確率が高くなる。このため、記録ヘッドを薄型化した場合におけるＦＦＣの保護が求められている。
【０００７】
なお、特許文献１には上記の課題認識はなく、特許文献１の記録装置は記録ヘッドの薄型化を達成できるものではない。
【０００８】
そこで、本発明の目的は、記録ヘッドの小型化及び薄型化と信号線の保護の両立を可能にすることである。
【課題を解決するための手段】
【０００９】
上記課題を解決するための本発明の第１の態様の記録装置は、記録データに基づいて記録を行う記録ヘッドと、前記記録ヘッドに前記記録データを送る信号線と、前記記録ヘッドを搭載するキャリッジと、を備え、前記記録ヘッドは、記録面に沿う方向であって少なくとも異なる二方向の各部位に前記信号線が接続される接続部を備え、前記信号線は、前記キャリッジ内部を通って前記異なる二方向から前記接続部に接続されることを特徴とする。
【００１０】
ここで、「記録ヘッド」とは、記録を行う部分を意味するだけでなく、例えばインク流路を備える部材やキャリッジへの取付け部等をさらに有していてもよく、いわゆる記録ヘッドアセンブリも含む意味である。「記録面」とは、記録のためにインク等の液体を吐出する部分（記録ヘッドの）である。  
また、「少なくとも異なる二方向」とは、異なる二方向のみから前記記録ヘッドに接続することを意味するものではなく、異なる三方向以上の方向から前記記録ヘッドに接続することも含む意味である。  
また、「記録面に沿う方向であって少なくとも異なる二方向の各部位に前記信号線が接続される」とは、前記記録ヘッドに接続された信号線における記録ヘッドの接続部から伸びる方向が、記録面に沿う方向であることを意味している。すなわち、記録面と交差する方向から記録ヘッドに接続する接続端子が信号線に設けられている場合であっても、信号線が記録ヘッドに接続された状態において、記録ヘッドの接続部から伸びる信号線の方向が記録面に沿う方向であればこの場合も含まれる。
【００１１】
本態様によれば、信号線は前記記録ヘッドの記録面に沿う方向であって記録ヘッドに少なくとも異なる二方向から接続する。このため、特に信号線がＦＦＣである場合、記録ヘッドに一方向から接続する場合と比較して記録ヘッドを小型化及び薄型化することが可能になる。該一方向から接続する場合、記録ヘッドは、幅の広い信号線を接続するための幅の広い面を用意するか、二段以上に分けられた信号線を接続するための厚い（前記記録ヘッドの記録面と交差する方向に長い）面を用意しなければならないためである。  
また、信号線がＦＦＣである場合、ＦＦＣはフラットな形状であるので、キャリッジ内部の狭い隙間等を利用して配設することが可能である。そのため、当該信号線をキャリッジ内部に配設するに際して該配設のためのスペースを新たに設ける必要がなく、キャリッジ内部の狭い領域を有効に利用することができる。また、信号線をキャリッジ外部にはみ出さずに済むので該信号線が他の部材と干渉し信号線又は他の部材が損傷することを抑制することができる。  
すなわち、記録ヘッドの小型化及び薄型化と信号線の保護の両立を可能にする。
【００１２】
本発明の第２の態様の記録装置は、前記第１の態様において、前記信号線は、前記接続部の一方の側から前記キャリッジ内部に挿入され、前記一方の接続部に接続される第１信号線と、該接続部の一方の側から他方の側に向かって前記キャリッジ内部において配設されて該他方の接続部に接続される第２信号線とを有することを特徴とする。
【００１３】
本態様によれば、前記キャリッジ内部に大きく配設される信号線は第２信号線の一方だけであるので、その配設構造を複雑化せずに配設することができる。このため、信号線をキャリッジ内部で効率よく配設することができる。
【００１４】
本発明の第３の態様の記録装置は、前記第１又は第２の態様において、前記信号線は、互いに逆方向から前記記録ヘッドに接続されることを特徴とする。
【００１５】
本態様によれば、信号線は前記記録ヘッドに互いに逆方向から接続される。このため、特に信号線がＦＦＣである場合、前記記録ヘッドにおける信号線の接続部の干渉スペースを低減できるため、記録ヘッドをより小型化することが可能になる。  
なお、異なる三方向以上の方向から信号線を前記記録ヘッドに接続する構成の記録装置の場合、少なくとも二方向から接続された信号線が互いに逆方向から接続している構成であれば本態様に含まれる。
【００１６】
本発明の第４の態様の記録装置は、前記第１から第３のいずれか１つの態様において、前記記録ヘッドは、前記キャリッジに取付けるための取付け部を有し、前記信号線は、前記キャリッジ内部において前記取付け部と前記キャリッジとの間に配設されることを特徴とする。
【００１７】
本態様によれば、ＦＦＣを前記記録ヘッドの前記取付け部と前記キャリッジとの間に配設するという簡単な構造で、信号線をキャリッジ内部に配設することができる。
【００１８】
本発明の第５の態様の記録装置は、前記第１から第４のいずれか１つの態様において、前記信号線は、前記記録面と平行に接続されていることを特徴とする。
【００１９】
ここで「前記記録面と平行」とは、厳密な意味での平行を意味するものではなく、略平行である場合を含む意味である。
【００２０】
本態様によれば、特に信号線がＦＦＣである場合、ＦＦＣは前記記録面と平行に接続されているので、記録ヘッドをより薄型化することが可能になる。
【００２１】
本発明の第６の態様の記録装置は、前記第１から第５のいずれか１つの態様において、該記録装置は、リニアスケールを備え、前記キャリッジは、前記リニアスケールの目盛から位置情報を取得する検出器と、前記信号線を保護する信号線カバーと、を備え、前記信号線カバーは、前記検出器の保護部と、前記リニアスケールの前記検出器からの抜け止め部と、を兼ねることを特徴とする。
【００２２】
本態様によれば、信号線カバーを備えるため信号線をより十分に保護することが可能となる。さらに、簡単な構成で、検出器の保護と、リニアスケールの前記検出器からの抜け止めとの両方を達成させることができる。
【００２３】
本発明の第７の態様の記録ヘッドは、信号線から送られる記録データに基づいて記録を行う記録ヘッドであって、該記録ヘッドの記録面に沿う方向であって少なくとも異なる二方向の各部位に前記信号線が接続される接続部を有することを特徴とする。
【００２４】
本態様によれば、記録ヘッドを小型化及び薄型化することが可能になる。これにより、記録ヘッドを搭載するキャリッジも小型化及び薄型化することが可能になる。
【図面の簡単な説明】
【００２５】
【図１】本発明の一実施例に係る記録装置の概略斜視図である。
【図２】本発明の一実施例に係る記録装置の要部の斜視図である。
【図３】本発明の一実施例に係る記録装置の要部概略図である。
【図４】本発明の一実施例に係る記録装置の要部概略図である。
【図５】本発明の一実施例に係る記録装置の要部概略図である。
【図６】本発明の一実施例に係る記録装置の要部概略図である。
【図７】本発明の一実施例に係る記録装置の要部拡大図である。
【発明を実施するための形態】
【００２６】
以下に、本発明の実施例に係る記録装置について、添付図面を参照して詳細に説明する。  
また、下記の実施例では記録装置として記録ヘッドからインクを吐出して記録を行うインクジェット記録装置を用いて説明している。しかし、本発明の記録装置は、インクジェット記録装置に限定されるわけではなく、他の方式の記録装置に転用可能である。
【００２７】
［実施例］（図１〜図７）  
図１は、本発明の一実施例に係る記録装置の概略斜視図である。  
本実施例の記録装置１は、記録ヘッド２を搭載したキャリッジ３を走査方向Ｘに往復移動させ、被記録媒体を搬送機構４により搬送方向Ｙに搬送しながら記録を行う。キャリッジ３の走査方向Ｘにおける位置情報は、キャリッジ３に設けられた検出器６（図２参照）が、記録装置１に設けられたリニアスケール５の目盛を読むことによって取得される。
【００２８】
本実施例の記録装置１は、搬送機構４により記録領域に搬送された被記録媒体の上面に記録ヘッド２を対向させて、記録ヘッド２の記録面９（図３参照）からインクを鉛直方向Ｚに吐出させて被記録媒体の上面に記録を行う。すなわち、本実施例において、記録面９は走査方向Ｘ及び搬送方向Ｙとで作られる水平面と平行な面で有り、記録面９と交差する方向は鉛直方向Ｚとなっている。ただし、本発明はこのような構成に限定されない。本実施例の記録装置１における記録ヘッド２の厚さとは鉛直方向Ｚにおける記録ヘッド２の長さを意味する。
【００２９】
図２は、本発明の一実施例に係る記録装置の要部の斜視図であり、図１の奥側から見た記録装置１の要部の斜視図である。  
信号線としてのＦＦＣ７は、キャリッジ３内部に一カ所（一方の側）から挿入される。そして、キャリッジ３内部を通り、第１信号線としてのＦＦＣ７ｂが記録ヘッド２の一方の側に接続するとともに、第２信号線としてのＦＦＣ７ａが該一方の側から他方の側に向かってキャリッジ３内部において配設されて該他方の側に接続している（図３参照）。  
なお、ＦＦＣ７は記録ヘッド２に記録データを送る役割がある。そして、記録ヘッド２は、ＦＦＣ７から送られた記録データに基づいて記録を行う。
【００３０】
キャリッジ３にはＦＦＣカバー８が設けられ、キャリッジ３内部に配設されるＦＦＣ７がキャリッジ３からはみ出さないように保護している。また、ＦＦＣカバー８は、検出器６の保護部としての役割と、リニアスケール５の検出器６からの抜け止め部としての役割を兼ねる突出部Ｐを備えている。突出部Ｐは、リニアスケール５及び検出器６を覆うように構成されることで、検出器６に対する外部からの接触を抑制し、検出器６がリニアスケール５から抜けることを抑制している。
【００３１】
次に、本実施例の記録装置１におけるＦＦＣ７の配設例について説明する。  
図３は、本発明の一実施例に係る記録装置の要部概略図であり、記録ヘッド２を記録面９側から見た図である。  
図３（Ａ）はＦＦＣ７を記録ヘッド２に取り付ける前の図であり、図３（Ｂ）はＦＦＣ７を記録ヘッド２に取り付けた後の図である。
【００３２】
本実施例の記録ヘッド２の記録面９の周囲（記録ヘッド２をキャリッジ３に取り付けるための取付け部１６）には、共に記録面９に沿う方向であって互いに逆方向にＦＦＣ７を接続するための各部位（接続部１０ａ、１０ｂ）が設けられている。本実施例のＦＦＣ７は、ＦＦＣ７ａとＦＦＣ７ｂとの２本のＦＦＣにより構成される。詳細には、記録ヘッド２の一方の側の接続部１０ｂに接続するＦＦＣ７ｂと、該一方の側から他方の側に向かってキャリッジ３内部において配設されて該他方の側の接続部１０ａに接続するＦＦＣ７ａとを有する。図３（Ｂ）から明らかなように、ＦＦＣ７ａとＦＦＣ７ｂとは、共に記録面９に沿う方向であって互いに逆方向から、記録ヘッド２と接続される。そして、ＦＦＣ７ａは、図３（Ｂ）の矢印Ａの方向に沿ってＦＦＣ７ｂ側に配設され、キャリッジ３内部においてＦＦＣ７ｂと合わせられる。そして、ＦＦＣ７ａとＦＦＣ７ｂとが合わされてキャリッジ３外部に出される。  
また、記録面９にはインクを吐出するノズルが複数並んだノズル列Ｎが設けられている。
【００３３】
本実施例の記録装置１では、記録ヘッド２の記録面９の周囲に互いに逆方向からＦＦＣ７は接続される。ただし、本発明はこのような構成に限定されない。例えば記録ヘッド２の記録面９の周囲に互いに直角方向からＦＦＣ７は接続されてもよい。ただし、このような構成の場合、二本のＦＦＣに対応する夫々の接続部が干渉しないように記録ヘッド２を構成しなければならないので、本実施例の記録装置１の構成と比較して記録ヘッド２は大きくなる。  
なお、異なる三方向以上の方向からＦＦＣを記録ヘッド２に接続してもよい。このような構成の記録装置では、ＦＦＣ一本当りの幅を狭くすることができるので、記録ヘッド２をより小さくすることができ、記録装置をより小さくすることができる。
【００３４】
また、本実施例の記録装置１では、ＦＦＣ７ａ及びＦＦＣ７ｂは共に、記録面９と平行に、記録ヘッド２の記録面９の周囲に接続されている。このような構成とすることで、記録ヘッド２の厚さを最も効率よく薄くすることができる。ただし、本発明はこのような構成に限定されない。
【００３５】
図４は、本発明の一実施例に係る記録装置の要部概略図であり、記録ヘッド２にＦＦＣ７ａのみを接続させた状態を表す図である。  
記録ヘッド２の記録面９の周囲に設けられた接続部１０ａを介して、ＦＦＣ７ａは記録ヘッド２に接続されている。ＦＦＣ７ａは折り曲げ部１１において２つに折り曲げ加工されており、幅Ｌａ１のＦＦＣ７ａは幅Ｌａ１の半分の幅である幅Ｌａ２で記録ヘッド２の取付け部１６の周囲に配設されている。なお、不図示であるが、ＦＦＣ７ｂの幅は幅Ｌａ１と同様であり、ＦＦＣ７ｂもＦＦＣ７ａと同様に折り曲げ加工されている。このことにより、ＦＦＣ７ａと合わせられる際のＦＦＣ７ｂの幅は幅Ｌａ２と同様になっている。
【００３６】
このように、ＦＦＣを折り曲げ加工するとＦＦＣの厚さ（ＦＦＣの幅方向と直交する方向の厚さ）は厚くなる。このため、キャリッジ周辺においてＦＦＣがキャリッジの外部にはみ出ている構成では、ＦＦＣがキャリッジの外部の部材とより干渉しやすくなる。しかしながら、本実施例の記録装置１のようにＦＦＣをキャリッジ内部に配設する構成とすることで、キャリッジ周辺においてＦＦＣがキャリッジの外部にはみ出すことを抑制し、ＦＦＣがキャリッジの外部の部材と干渉することを抑制できる。
【００３７】
図５は、本発明の一実施例に係る記録装置の要部概略図であり、キャリッジ３を上から見た図である。  
図５（Ａ）はキャリッジ３から記録ヘッド２を取り外した状態を表す図であり、図５（Ｂ）はキャリッジ３に記録ヘッド２を搭載した状態を表す図である。
【００３８】
図５（Ａ）で表されるように、キャリッジ３の内壁１４に沿ってＦＦＣ７ａ及びＦＦＣ７ｂが配設されている。また、キャリッジ３には、記録ヘッド２の記録面９をキャリッジ３から外側に出すための穴部１２が設けられている。  
図５（Ａ）及び図５（Ｂ）で表されるように、本実施例の記録ヘッド２は、インク供給口１３及びインク供給口１３からインクを吐出するノズル列Ｎまでのインク流路を備えるインク流路部（不図示）等とともに、キャリッジ３への取付け部１６を有している。そして、ＦＦＣ７ａ及びＦＦＣ７ｂはキャリッジ３内部では記録ヘッド２の取付け部１６の外側且つキャリッジ３の内側（記録ヘッド２の取付け部１６とキャリッジ３との間）に配設されている。  
なお、図５（Ｂ）で表されるように、記録ヘッド２には、本実施例の記録装置１で使用可能な６色のインクカートリッジに対応した６個のインク供給口１３が設けられている。
【００３９】
次に、ＦＦＣカバー８について説明する。  
図６は、本発明の一実施例に係る記録装置の要部概略図である。詳細には、図６（Ａ）はＦＦＣカバー８を表す図であり、図６（Ｂ）はＦＦＣカバー８の取付け前のキャリッジ３を表す図であり、図６（Ｃ）はＦＦＣカバー８の取付け後のキャリッジ３を表す図である。
【００４０】
図６（Ａ）はＦＦＣカバー８を表している。ＦＦＣカバー８の上部は、キャリッジ３の内側に配設されたＦＦＣ７がキャリッジ３の上部からはみ出さないように、記録ヘッド２とキャリッジ３との間における上側の蓋の役割をしている。また、ＦＦＣカバー８は、検出器６の保護部としての役割と、リニアスケール５の検出器６からの抜け止め部としての役割を兼ねる突出部Ｐを備えている。
【００４１】
図６（Ｂ）はＦＦＣカバー８の取付け前のキャリッジ３を表しており、記録装置１に設けられたリニアスケール５に対して検出器６がどのように位置しているかを表している。検出器６は、上からリニアスケール５を挟み込むように位置することにより、リニアスケール５の目盛を読み込むことが可能な構成となっている。
【００４２】
図６（Ｃ）はＦＦＣカバー８の取付け後のキャリッジ３を表しており、キャリッジ３に対してＦＦＣカバー８がどのような位置に取り付けられるかを表している。ＦＦＣカバー８は、キャリッジ３内部のＦＦＣ７が配設されている部分において、記録ヘッド２とキャリッジ３との間の上側を全て覆うように取り付けられている。こうして、ＦＦＣ７の保護部としての役割を果たしている。また、ＦＦＣカバー８の突出部Ｐは、リニアスケール５及び検出器６を上側からリニアスケール５の下部よりもかなり下の位置まで覆うように構成される。このような構成により、検出器６への外部からの接触を抑制するとともに、検出器６がリニアスケール５から抜けることを抑制している。
【００４３】
図７は、本発明の一実施例に係る記録装置の要部拡大図であり、図６（Ｃ）のＦＦＣカバー８の取付け後のキャリッジ３を奥側から見た図である。  
図６（Ｃ）及び図７で表されるように、ＦＦＣ７は、キャリッジ３の内側であって記録ヘッド２の取付け部１６の外側の位置において配設されている。このため、キャリッジ３外部にＦＦＣ７がはみ出すことを抑制しているだけでなく、キャリッジ３内部にＦＦＣ７がはみ出すことも抑制している。すなわち、キャリッジ３の外部にはみ出したＦＦＣ７が他の部材と干渉しＦＦＣ７又は他の部材が損傷することを抑制しているだけでなく、キャリッジ内部にはみ出したＦＦＣ７が他の部材と干渉しＦＦＣ７又は他の部材が損傷することも抑制している。
【００４４】
なお、本実施例の記録装置１は６色のインクカートリッジを使用可能である。そして、この６色のインクカートリッジは誤った位置に装着されることを抑制するために、色毎に異なる先端形状をしている。そこで、記録ヘッド２には、この６色のインクカートリッジの先端形状に対応した色毎に形状の異なる突起部１５が設けられている。ただし、本発明はこのような構成に限定されない。
【符号の説明】
【００４５】
１  記録装置、２  記録ヘッド、３  キャリッジ、４  搬送機構、
５  リニアスケール、６  検出器、７、７ａ、７ｂ  ＦＦＣ、８  ＦＦＣカバー、
９  記録面、１０ａ、１０ｂ  接続部、１１  折り曲げ部、１２  穴部、
１３  インク供給口、１４  内壁、１５  突起部、１６  取付け部、
Ｎ  ノズル列、Ｐ  突出部
【図１】
2014030981.tif 000003
【図２】
2014030981.tif 000004
【図３】
2014030981.tif 000005
【図４】
2014030981.tif 000006
【図５】
2014030981.tif 000007
【図６】
2014030981.tif 000008
【図７】
2014030981.tif 000009